(57)【要約】【課題】室の高域空間と中域空間や低域空間との明暗の差を小さくすることができるアンビエント照明ユニットを提供する。【解決手段】アンビエント照明ユニット１０Ａは、短手方向へ延びる取付ベース１３と、取付ベース１３に取り付けられて短手方向へ延びる第１および第２照明器具１４，１５とから形成されている。取付ベース１３は、前壁１９の下端に設置されて短手方向へ延びる第１吹出口１７と、後壁２０の下端に設置されて短手方向へ延びる第２吹出口１８とを備えている。第１照明器具１４は、取付ベース１３の前壁１９に設置されて短手方向へ延びる第１光源と、前壁１９に設置されて長手方向前方へ凸となるように円弧を画く第１照明カバー３３とから形成され、第２照明器具１５は、取付ベース１３の後壁２０に設置されて短手方向へ延びる第２光源と、後壁２０に設置されて長手方向後方へ凸となるように円弧を画く第２照明カバー３７とから形成されている。【選択図】図１
2020035759.tif 000002
【特許請求の範囲】
【請求項１】
建造物の室の上部スラブに設置されて該建造物の室内を照らすアンビエント照明ユニットにおいて、
前記アンビエント照明ユニットが、前記上部スラブの長手方向へ延びる両側縁部の間に位置して長手方向と交差する短手方向へ延びる取付ベースと、前記取付ベースに取り付けられて短手方向へ延びる第１および第２照明器具とから形成され、
前記取付ベースが、短手方向へ延びていて第１設置部となる前壁と、前記前壁の長手方向後方へ所定寸法離間して短手方向へ延びていて第２設置部となる後壁と、前記前後壁の上端縁の間に位置して短手方向へ延びる頂壁と、前記前後壁と前記頂壁との間に位置する両側壁と、前記前壁の下端に設置されて短手方向へ延びる第１吹出口と、前記後壁の下端に設置されて短手方向へ延びる第２吹出口とを備え、
前記第１照明器具が、前記取付ベースの第１設置部に設置されて短手方向へ延びる第１光源と、前記第１設置部に設置されて該第１設置部の下方から上方に向かって長手方向前方へ凸となるように円弧を画き、前記第１光源を覆って短手方向へ延びる第１照明カバーとから形成され、
前記第２照明器具が、前記取付ベースの第２設置部に設置されて短手方向へ延びる第２光源と、前記第２設置部に設置されて該第２設置部の下方から上方に向かって長手方向後方へ凸となるように円弧を画き、前記第２光源を覆って短手方向へ延びる第２照明カバーとから形成され、
前記第１吹出口が、前記第１照明カバーの下端から該第１照明カバーの外周面に向かって空気を吹き出し、前記第２吹出口が、前記第２照明カバーの下端から該第２照明カバーの外周面に向かって空気を吹き出すことを特徴とするアンビエント照明ユニット。
【請求項２】
前記取付ベースが、前記前後壁と前記頂壁と前記両側壁とに囲繞された所定容積の収容スペースを備え、前記アンビエント照明ユニットが、前記取付ベースの収容スペースに設置された空調モジュールを備え、前記アンビエント照明ユニットでは、前記空調モジュールによって作られた空調空気が前記第１吹出口から前記第１照明カバーの外周面に向かって吹き出されるとともに、前記空調モジュールによって作られた空調空気が前記第２吹出口から前記第２照明カバーの外周面に向かって吹き出される請求項１に記載のアンビエント照明ユニット。
【請求項３】
前記アンビエント照明ユニットが、前記第１吹出口に設置されて前記空気の吹出方向を前記第１設置部の下方と長手方向前方との間で変更可能な第１フラップと、前記第２吹出口に設置されて前記空気の吹出方向を前記第２設置部の下方と長手方向後方との間で変更可能な第２フラップとを備えている請求項１または請求項２に記載のアンビエント照明ユニット。
【請求項４】
建造物の室の上部スラブに設置されて該建造物の室内を照らすアンビエント照明ユニットにおいて、
前記アンビエント照明ユニットが、前記上部スラブの長手方向へ延びる両側縁部の間に位置して長手方向と交差する短手方向へ延びる取付ベースと、前記取付ベースに取り付けられて短手方向へ延びる第１および第２照明器具とから形成され、
前記取付ベースが、短手方向へ延びていて第１設置部となる前壁と、前記前壁の長手方向後方へ所定寸法離間して短手方向へ延びていて第２設置部となる後壁と、前記前後壁の上端縁の間に位置して短手方向へ延びる頂壁と、前記前後壁と前記頂壁との間に位置する両側壁と、前記前後壁と前記頂壁と前記両側壁とに囲繞された所定容積の収容スペースとを備え、
前記第１照明器具が、前記取付ベースの第１設置部に設置されて短手方向へ延びる第１光源と、前記第１設置部に設置されて該第１設置部の下方から上方に向かって長手方向前方へ凸となるように円弧を画き、前記第１光源を覆って短手方向へ延びる第１照明カバーとから形成され、
前記第２照明器具が、前記取付ベースの第２設置部に設置されて短手方向へ延びる第２光源と、前記第２設置部に設置されて該第２設置部の下方から上方に向かって長手方向後方へ凸となるように円弧を画き、前記第２光源を覆って短手方向へ延びる第２照明カバーとから形成され、
短手方向へ延びる予備照明器具と各種のセンサモジュールとのうちの少なくとも一方が、前記取付ベースの第１および第２設置部の間に設置されていることを特徴とするアンビエント照明ユニット。
【請求項５】
前記センサモジュールが、前記室内の火災を検知する火災報知器、前記室内に消火用の水を散布するスプリンクラーヘッド、前記第１および第２光源の調光に利用される光感知センサ、人の存在を検知する人感センサ、前記室内に音を発するスピーカー、前記室内を撮影するカメラのうちの少なくとも１つである請求項４に記載のアンビエント照明ユニット。
【請求項６】
前記第１照明カバーが、その下端から上端に向かって９０°〜１８０°の範囲のうちの該下端から上端に向かって少なくとも９０°で円弧を画き、前記第２照明カバーが、その下端から上端に向かって９０°〜１８０°の範囲のうちの該下端から上端に向かって少なくとも９０°で円弧を画いている請求項１ないし請求項５いずれかに記載のアンビエント照明ユニット。
【請求項７】
建造物の室の上部スラブに設置されて該建造物の室内を照らす照明システムにおいて、
前記照明システムが、前記室の上部スラブの長手方向へ所定寸法離間して並ぶ複数のアンビエント照明ユニットから形成され、それらアンビエント照明ユニットが、前記上部スラブの長手方向へ延びる両側縁部の間に位置して長手方向と交差する短手方向へ延びる取付ベースと、前記取付ベースに設置されて短手方向へ延びる第１および第２照明器具とから形成され、
それらアンビエント照明ユニットの取付ベースが、短手方向へ延びていて第１設置部となる前壁と、前記前壁の長手方向後方へ所定寸法離間して短手方向へ延びていて第２設置部となる後壁と、前記前後壁の上端縁の間に位置して短手方向へ延びる頂壁と、前記前後壁と前記頂壁との間に位置する両側壁と、前記前壁の下端に設置されて短手方向へ延びる第１吹出口と、前記後壁の下端に設置されて短手方向へ延びる第２吹出口とを備え、
それらアンビエント照明ユニットの第１照明器具が、前記取付ベースの第１設置部に設置されて短手方向へ延びる第１光源と、前記第１設置部に設置されて該第１設置部の下方から上方に向かって長手方向前方へ凸となるように円弧を画き、前記第１光源を覆って短手方向へ延びる第１照明カバーとから形成され、
それらアンビエント照明ユニットの第２照明器具が、前記取付ベースの第２設置部に設置されて短手方向へ延びる第２光源と、前記第２設置部に設置されて該第２設置部の下方から上方に向かって長手方向後方へ凸となるように円弧を画き、前記第２光源を覆って短手方向へ延びる第２照明カバーとから形成され、
それらアンビエント照明ユニットの第１吹出口が、前記第１照明カバーの下端から該第１照明カバーの外周面に向かって空気を吹き出し、それらアンビエント照明ユニットの第２吹出口が、前記第２照明カバーの下端から該第２照明カバーの外周面に向かって空気を吹き出すことを特徴とする照明システム。
【請求項８】
それらアンビエント照明ユニットの取付ベースが、前記前後壁と前記頂壁と前記両側壁とに囲繞された所定容積の収容スペースを備え、それらアンビエント照明ユニットが、前記取付ベースの収容スペースに設置された空調モジュールを備え、前記照明システムでは、それらアンビエント照明ユニットの空調モジュールによって作られた空調空気が前記第１吹出口から前記第１照明カバーの外周面に向かって吹き出されるとともに、前記空調モジュールによって作られた空調空気が前記第２吹出口から前記第２照明カバーの外周面に向かって吹き出される請求項７に記載の照明システム。
【請求項９】
それらアンビエント照明ユニットが、前記第１吹出口に設置されて前記空気の吹出方向を前記第１設置部の下方と長手方向前方との間で変更可能な第１フラップと、前記第２吹出口に設置されて前記空気の吹出方向を前記第２設置部の下方と長手方向後方との間で変更可能な第２フラップとを備えている請求項７または請求項８に記載の照明システム。
【請求項１０】
建造物の室の上部スラブに設置されて該建造物の室内を照らす照明システムにおいて、
前記照明システムが、前記室の上部スラブの長手方向へ所定寸法離間して並ぶ複数のアンビエント照明ユニットから形成され、それらアンビエント照明ユニットが、前記上部スラブの長手方向へ延びる両側縁部の間に位置して長手方向と交差する短手方向へ延びる取付ベースと、前記取付ベースに取り付けられて短手方向へ延びる第１および第２照明器具とから形成され、
それらアンビエント照明ユニットの取付ベースが、短手方向へ延びていて第１設置部となる前壁と、前記前壁の長手方向後方へ所定寸法離間して短手方向へ延びていて第２設置部となる後壁と、前記前後壁の上端縁の間に位置して短手方向へ延びる頂壁と、前記前後壁と前記頂壁との間に位置する両側壁と、前記前後壁と前記頂壁と前記両側壁とに囲繞された所定容積の収容スペースとを備え、
それらアンビエント照明ユニットの第１照明器具が、前記取付ベースの第１設置部に設置されて短手方向へ延びる第１光源と、前記第１設置部に設置されて該第１設置部の下方から上方に向かって長手方向前方へ凸となるように円弧を画き、前記第１光源を覆って短手方向へ延びる第１照明カバーとから形成され、
それらアンビエント照明ユニットの第２照明器具が、前記取付ベースの第２設置部に設置されて短手方向へ延びる第２光源と、前記第２設置部に設置されて該第２設置部の下方から上方に向かって長手方向後方へ凸となるように円弧を画き、前記第２光源を覆って短手方向へ延びる第２照明カバーとから形成され、
短手方向へ延びる予備照明器具と各種のセンサモジュールとのうちの少なくとも一方が、それらアンビエント照明ユニットの取付ベースの第１および第２設置部の間に設置されていることを特徴とする照明システム。
【請求項１１】
それらアンビエント照明ユニットに設置された前記センサモジュールが、前記室内の火災を検知する火災報知器、前記室内に消火用の水を散布するスプリンクラーヘッド、前記第１および第２光源の調光に利用される光感知センサ、人の存在を検知する人感センサ、前記室内に音を発するスピーカー、前記室内を撮影するカメラのうちの少なくとも１つである請求項１０に記載の照明システム。
【請求項１２】
前記上部スラブの長手方向へ延びる両側縁部の間に位置して短手方向へ延びる複数のアンビエント照明ユニットが、所定の吊り下げ手段を利用して前記取付ベースを前記上部スラブから吊り下げることで該上部スラブに平行して設置され、前記照明システムでは、前記複数のアンビエント照明ユニットが短手方向へ一列に並ぶとともに前記上部スラブの長手方向前方から後方に向かって所定寸法離間しつつ平行して並び、長手方向へ所定寸法離間して並ぶ前記複数のアンビエント照明ユニットが前記室の天井面を形成している請求項７ないし請求項１１いずれかに記載の照明システム。
【請求項１３】
前記照明システムでは、前記第１設置部に着脱可能に設置されて短手方向へ延びていて前記第１照明カバーの下端から該第１照明カバーの外周面に向かって空気を吹き出す第１吹出口と前記第２設置部に着脱可能に設置されて短手方向へ延びていて前記第２照明カバーの下端から該第２照明カバーの外周面に向かって空気を吹き出す第２吹出口と前記第１および第２設置部の間に着脱可能に設置された空調モジュールとのうちの少なくとも前記第１および第２吹出口を備えた第１アンビエント照明ユニットと、前記第１および第２設置部の間に着脱可能に設置された予備照明器具と該第１および第２設置部の間に着脱可能に設置された各種のセンサモジュールとのうちの少なくとも一方を備えた第２アンビエント照明ユニットとが混在した状態で、前記第１および第２アンビエント照明ユニットが長手方向へ所定寸法離間して並んでいる請求項７ないし請求項１２いずれかに記載の照明システム。
【発明の詳細な説明】
【技術分野】
【０００１】
本発明は、建造物の室の上部スラブに設置されて建造物の室内を照らすアンビエント照明ユニットおよび建造物の室の上部スラブに設置されて建造物の室内を照らす照明システムに関する。
【背景技術】
【０００２】
高色温度光源と、高色温度光源より色温度が低い低色温度光源と、高色温度光源および低色温度光源を透過させる透明パネルと、高色温度光源および低色温度光源を調光する調光制御部と、高色温度光源と低色温度光源と透明パネルとを支持する基台とを備え、可視光波長域における一部の波長の光を曲げる回折格子が透明パネルに取り付けられた照明器具が開示されている（特許文献１参照）。特許文献１に開示の照明器具は、タスク・アンビエント照明を実現することができるとともに、照明器具の構成を簡略化することができるという効果を有する。
【０００３】
空調吹出口と照明器具とを備え、空調吹出口に風量可変制御装置が組み込まれ、照明器具に調光制御装置が組み込まれているとともに、所定の検知エリア有する人感センサが設置され、風量可変制御装置と調光制御装置とを人感センサによる検知信号に基づいて制御する個別制御器が設置されたシステム天井モジュールが開示されている（特許文献２参照）。特許文献２に開示のシステム天井モジュールは、室内における人の分布状態を正確に検出し、それに応じて空調と照明とを制御することにより、大幅な省エネルギー化を図ることができるという効果を有する。
【先行技術文献】
【特許文献】
【０００４】
【特許文献１】特開２０１２−１５０９５６号公報
【特許文献２】特開２００６−１２５７２７号公報
【発明の概要】
【発明が解決しようとする課題】
【０００５】
前記特許文献１に開示の照明器具は、光源から発せられた光が室内の天井から床面に向かって鉛直方向へ照射され、タスク・アンビエント照明を実現することで天井照明の出力を減少させて室内照明の省エネ化を図ることができる。しかし、室の天井近傍における長手方向（水平方向）への光の照射が基台の各側壁によって遮断され、天井面および天井近傍における高域空間が薄暗くなり、室内全域が暗い雰囲気になるとともに、天井近傍の高域空間と室内の中域空間や低域空間との明暗の差が大きくなり、室を利用する利用者にストレスを与える場合がある。
【０００６】
前記特許文献２に開示のシステム天井モジュールは、照明器具による照明とともに空調吹出口から吹き出される空調された空気によって室内を空調することができる。しかし、空調された空気が空調吹出口から床面に向かって鉛直方向に吹き出されるから、その空気を空調吹出口から離れた位置まで拡散させることができず、空調された空気を室内全域に満遍なく行き渡らせることができない。また、室の利用者が空調吹出口の直下に位置すると、空調吹出口から吹き出された空気が利用者に直接当たり、利用者に不快感を与える場合がある。
【０００７】
本発明の目的は、天井近傍における高域空間を明るくすることができ、室内全域を明るい雰囲気にすることができるとともに、天井近傍の高域空間と室内の中域空間や低域空間との明暗の差を小さくすることができるアンビエント照明ユニットおよび照明システムを提供することにある。本発明の他の目的は、室の上部スラブから室内に給気される空気を室内全域に満遍なく行き渡らせることができ、室の利用者に不快感を与えることがないアンビエント照明ユニットおよび照明システムを提供することにある。
【課題を解決するための手段】
【０００８】
前記課題を解決するための本発明の第１の前提は、建造物の室の上部スラブに設置されて建造物の室内を照らすアンビエント照明ユニットである。
【０００９】
前記第１の前提における本発明のアンビエント照明ユニットの第１の特徴は、アンビエント照明ユニットが、上部スラブの長手方向へ延びる両側縁部の間に位置して長手方向と交差する短手方向へ延びる取付ベースと、取付ベースに取り付けられて短手方向へ延びる第１および第２照明器具とから形成され、取付ベースが、短手方向へ延びていて第１設置部となる前壁と、前壁の長手方向後方へ所定寸法離間して短手方向へ延びていて第２設置部となる後壁と、前後壁の上端縁の間に位置して短手方向へ延びる頂壁と、前後壁と頂壁との間に位置する両側壁と、前壁の下端に設置されて短手方向へ延びる第１吹出口と、後壁の下端に設置されて短手方向へ延びる第２吹出口とを備え、第１照明器具が、取付ベースの第１設置部に設置されて短手方向へ延びる第１光源と、第１設置部に設置されて第１設置部の下方から上方に向かって長手方向前方へ凸となるように円弧を画き、第１光源を覆って短手方向へ延びる第１照明カバーとから形成され、第２照明器具が、取付ベースの第２設置部に設置されて短手方向へ延びる第２光源と、第２設置部に設置されて第２設置部の下方から上方に向かって長手方向後方へ凸となるように円弧を画き、第２光源を覆って短手方向へ延びる第２照明カバーとから形成され、第１吹出口が、第１照明カバーの下端から第１照明カバーの外周面に向かって空気を吹き出し、第２吹出口が、第２照明カバーの下端から第２照明カバーの外周面に向かって空気を吹き出すことにある。
【００１０】
前記第１の特徴を有するアンビエント照明ユニットの一例としては、取付ベースが、前後壁と頂壁と両側壁とに囲繞された所定容積の収容スペースを備え、アンビエント照明ユニットが、取付ベースの収容スペースに設置された空調モジュールを備え、アンビエント照明ユニットでは、空調モジュールによって作られた空調空気が第１吹出口から第１照明カバーの外周面に向かって吹き出されるとともに、空調モジュールによって作られた空調空気が第２吹出口から第２照明カバーの外周面に向かって吹き出される。
【００１１】
前記第１の特徴を有するアンビエント照明ユニットの他の一例としては、アンビエント照明ユニットが、第１吹出口に設置されて空気の吹出方向を第１設置部の下方と長手方向前方との間で変更可能な第１フラップと、第２吹出口に設置されて空気の吹出方向を第２設置部の下方と長手方向後方との間で変更可能な第２フラップとを備えている。
【００１２】
前記第１の前提における本発明のアンビエント照明ユニットの第２の特徴は、アンビエント照明ユニットが、上部スラブの長手方向へ延びる両側縁部の間に位置して長手方向と交差する短手方向へ延びる取付ベースと、取付ベースに取り付けられて短手方向へ延びる第１および第２照明器具とから形成され、取付ベースが、短手方向へ延びていて第１設置部となる前壁と、前壁の長手方向後方へ所定寸法離間して短手方向へ延びていて第２設置部となる後壁と、前後壁の上端縁の間に位置して短手方向へ延びる頂壁と、前後壁と頂壁との間に位置する両側壁と、前後壁と頂壁と両側壁とに囲繞された所定容積の収容スペースとを備え、第１照明器具が、取付ベースの第１設置部に設置されて短手方向へ延びる第１光源と、第１設置部に設置されて第１設置部の下方から上方に向かって長手方向前方へ凸となるように円弧を画き、第１光源を覆って短手方向へ延びる第１照明カバーとから形成され、第２照明器具が、取付ベースの第２設置部に設置されて短手方向へ延びる第２光源と、第２設置部に設置されて第２設置部の下方から上方に向かって長手方向後方へ凸となるように円弧を画き、第２光源を覆って短手方向へ延びる第２照明カバーとから形成され、短手方向へ延びる予備照明器具と各種のセンサモジュールとのうちの少なくとも一方が、取付ベースの第１および第２設置部の間に設置されていることにある。
【００１３】
前記第２の特徴を有するアンビエント照明ユニットの一例としては、センサモジュールが、室内の火災を検知する火災報知器、室内に消火用の水を散布するスプリンクラーヘッド、第１および第２光源の調光に利用される光感知センサ、人の存在を検知する人感センサ、室内に音を発するスピーカー、室内を撮影するカメラのうちの少なくとも１つである。
【００１４】
前記第１および第２の特徴を有するアンビエント照明ユニットの一例としては、第１照明カバーが、その下端から上端に向かって９０°〜１８０°の範囲のうちの下端から上端に向かって少なくとも９０°で円弧を画き、第２照明カバーが、その下端から上端に向かって９０°〜１８０°の範囲のうちの下端から上端に向かって少なくとも９０°で円弧を画いている。
【００１５】
前記課題を解決するための本発明の第２の前提は、建造物の室の上部スラブに設置されて建造物の室内を照らす照明システムである。
【００１６】
前記第２の前提における本発明の照明システムの第１の特徴は、照明システムが、室の上部スラブの長手方向へ所定寸法離間して並ぶ複数のアンビエント照明ユニットから形成され、それらアンビエント照明ユニットが、上部スラブの長手方向へ延びる両側縁部の間に位置して長手方向と交差する短手方向へ延びる取付ベースと、取付ベースに設置されて短手方向へ延びる第１および第２照明器具とから形成され、それらアンビエント照明ユニットの取付ベースが、短手方向へ延びていて第１設置部となる前壁と、前壁の長手方向後方へ所定寸法離間して短手方向へ延びていて第２設置部となる後壁と、前後壁の上端縁の間に位置して短手方向へ延びる頂壁と、前後壁と頂壁との間に位置する両側壁と、前壁の下端に設置されて短手方向へ延びる第１吹出口と、後壁の下端に設置されて短手方向へ延びる第２吹出口とを備え、それらアンビエント照明ユニットの第１照明器具が、取付ベースの第１設置部に設置されて短手方向へ延びる第１光源と、第１設置部に設置されて第１設置部の下方から上方に向かって長手方向前方へ凸となるように円弧を画き、第１光源を覆って短手方向へ延びる第１照明カバーとから形成され、それらアンビエント照明ユニットの第２照明器具が、取付ベースの第２設置部に設置されて短手方向へ延びる第２光源と、第２設置部に設置されて第２設置部の下方から上方に向かって長手方向後方へ凸となるように円弧を画き、第２光源を覆って短手方向へ延びる第２照明カバーとから形成され、それらアンビエント照明ユニットの第１吹出口が、第１照明カバーの下端から第１照明カバーの外周面に向かって空気を吹き出し、それらアンビエント照明ユニットの第２吹出口が、第２照明カバーの下端から第２照明カバーの外周面に向かって空気を吹き出すことにある。
【００１７】
前記第１の特徴を有する照明システムの一例としては、それらアンビエント照明ユニットの取付ベースが、前後壁と頂壁と両側壁とに囲繞された所定容積の収容スペースを備え、それらアンビエント照明ユニットが、取付ベースの収容スペースに設置された空調モジュールを備え、照明システムでは、それらアンビエント照明ユニットの空調モジュールによって作られた空調空気が第１吹出口から第１照明カバーの外周面に向かって吹き出されるとともに、空調モジュールによって作られた空調空気が第２吹出口から第２照明カバーの外周面に向かって吹き出される。
【００１８】
前記第１の特徴を有する照明システムの他の一例としては、それらアンビエント照明ユニットが、第１吹出口に設置されて空気の吹出方向を第１設置部の下方と長手方向前方との間で変更可能な第１フラップと、第２吹出口に設置されて空気の吹出方向を第２設置部の下方と長手方向後方との間で変更可能な第２フラップとを備えている。
【００１９】
前記第２の前提における本発明の照明システムの第２の特徴は、照明システムが、室の上部スラブの長手方向へ所定寸法離間して並ぶ複数のアンビエント照明ユニットから形成され、それらアンビエント照明ユニットが、上部スラブの長手方向へ延びる両側縁部の間に位置して長手方向と交差する短手方向へ延びる取付ベースと、取付ベースに取り付けられて短手方向へ延びる第１および第２照明器具とから形成され、それらアンビエント照明ユニットの取付ベースが、短手方向へ延びていて第１設置部となる前壁と、前壁の長手方向後方へ所定寸法離間して短手方向へ延びていて第２設置部となる後壁と、前後壁の上端縁の間に位置して短手方向へ延びる頂壁と、前後壁と頂壁との間に位置する両側壁と、前後壁と頂壁と両側壁とに囲繞された所定容積の収容スペースとを備え、それらアンビエント照明ユニットの第１照明器具が、取付ベースの第１設置部に設置されて短手方向へ延びる第１光源と、第１設置部に設置されて第１設置部の下方から上方に向かって長手方向前方へ凸となるように円弧を画き、第１光源を覆って短手方向へ延びる第１照明カバーとから形成され、それらアンビエント照明ユニットの第２照明器具が、取付ベースの第２設置部に設置されて短手方向へ延びる第２光源と、第２設置部に設置されて第２設置部の下方から上方に向かって長手方向後方へ凸となるように円弧を画き、第２光源を覆って短手方向へ延びる第２照明カバーとから形成され、短手方向へ延びる予備照明器具と各種のセンサモジュールとのうちの少なくとも一方が、それらアンビエント照明ユニットの取付ベースの第１および第２設置部の間に設置されていることにある。
【００２０】
前記第２の特徴を有する照明システムの一例としては、それらアンビエント照明ユニットに設置されたセンサモジュールが、室内の火災を検知する火災報知器、室内に消火用の水を散布するスプリンクラーヘッド、第１および第２光源の調光に利用される光感知センサ、人の存在を検知する人感センサ、室内に音を発するスピーカー、室内を撮影するカメラのうちの少なくとも１つである。
【００２１】
前記第１および第２の特徴を有する照明システムの一例としては、上部スラブの長手方向へ延びる両側縁部の間に位置して短手方向へ延びる複数のアンビエント照明ユニットが、所定の吊り下げ手段を利用して取付ベースを上部スラブから吊り下げることで上部スラブに平行して設置され、照明システムでは、複数のアンビエント照明ユニットが短手方向へ一列に並ぶとともに上部スラブの長手方向前方から後方に向かって所定寸法離間しつつ平行して並び、長手方向へ所定寸法離間して並ぶ複数のアンビエント照明ユニットが室の天井面を形成している。
【００２２】
前記第１および第２の特徴を有する照明システムの他の一例として、照明システムでは、第１設置部に着脱可能に設置されて短手方向へ延びていて第１照明カバーの下端から第１照明カバーの外周面に向かって空気を吹き出す第１吹出口と第２設置部に着脱可能に設置されて短手方向へ延びていて第２照明カバーの下端から第２照明カバーの外周面に向かって空気を吹き出す第２吹出口と第１および第２設置部の間に着脱可能に設置された空調モジュールとのうちの少なくとも第１および第２吹出口を備えた第１アンビエント照明ユニットと、第１および第２設置部の間に着脱可能に設置された予備照明器具と第１および第２設置部の間に着脱可能に設置された各種のセンサモジュールとのうちの少なくとも一方を備えた第２アンビエント照明ユニットとが混在した状態で、第１および第２アンビエント照明ユニットが長手方向へ所定寸法離間して並んでいる。
【発明の効果】
【００２３】
本発明に係るアンビエント照明ユニットによれば、第１照明器具の第１照明カバーが取付ベースの第１設置部の下方から上方に向かって長手方向前方へ凸となるように円弧を画くとともに第１光源を覆って短手方向へ延びており、第２照明器具の第２照明カバーが取付ベースの第２設置部の下方から上方に向かって長手方向前方へ凸となるように円弧を画くとともに第２光源を覆って短手方向へ延びているから、第１光源から発せられた光が第１照明カバーの略上半分から長手方向前方へ照射され、第２光源から発せられた光が第２照明カバーの略上半分から長手方向後方へ照射され、第１および第２光源から発せられた光が天井近傍の高域空間を照らすことで、天井近傍における高域空間を明るくすることができ、室内全域を明るい雰囲気にすることができる。
【００２４】
アンビエント照明ユニットは、室の居住者が長手方向前方や長手方向後方から室内を見たときに室内の天井近傍の高域空間が明るく見えるから、天井近傍の高域空間と室内の中域空間や低域空間との明暗の差を小さくすることができ、居住者にストレスを与えることがない。また、円弧を画く第１および第２照明カバーを介して第１および第２光源から発せられた光が第１および第２照明カバーの外周面全域から満遍なく照射されるから、柔らかい明るさ感を演出することができ、明るさ感指標を向上させることができる。
【００２５】
アンビエント照明ユニットは、円弧を画く第１および第２照明カバーの略下半分から下方に照射された光がアンビエント照明になるから、アンビエント照明ユニットの下方にタスク用照明を設置することにより、容易にタスク・アンビエント照明を実現することができ、室の居住者の快適性を損なうことを抑えながら、室内照明の省エネ化を図ることができる。
【００２６】
アンビエント照明ユニットは、第１照明カバーの下端から第１照明カバーの外周面に向かって空気を吹き出す第１吹出口と第２照明カバーの下端から第２照明カバーの外周面に向かって空気を吹き出す第２吹出口とを備え、第１および第２吹出口から吹き出された空気が第１および第２照明カバーの円弧を画く外周面に沿って流動するコアンダ効果が生じ、第１および第２照明カバーの外周面に沿って流動した空気が天井近傍の高域空間を伝って室内の長手方向前方と長手方向後方とへ拡散するから、室内に給気される空気を室内全域に満遍なく行き渡らせることができる。アンビエント照明ユニットは、第１および第２吹出口から吹き出された空気が室の居住者に直接当たることはなく、空気が居住者に直接当たることによる不快感を防ぐことができる。
【００２７】
取付ベースの第１および第２設置部の間に設置された空調モジュールを備え、空調モジュールによって作られた空調空気が第１吹出口から第１照明カバーの外周面に向かって吹き出されるとともに、空調モジュールによって作られた空調空気が第２吹出口から第２照明カバーの外周面に向かって吹き出されるアンビエント照明ユニットは、空調モジュールによって作られた空調空気が第１および第２照明カバーの円弧を画く外周面に沿って流動するコアンダ効果が生じ、空調空気が天井近傍の高域空間を伝って室内の長手方向前方と長手方向後方とへ拡散するから、空調空気を室内全域に満遍なく行き渡らせることができる。アンビエント照明ユニットは、空調モジュールによって作られた空調空気が第１および第２吹出口から室の居住者に直接当たることはなく、空調空気が居住者に直接当たることによる不快感を防ぐことができる。アンビエント照明ユニットは、取付ベースの第１および第２設置部の間に設置された空調モジュールによって空調空気を作ることができるから、空調設備をコンパクトかつ廉価に構築することができる。
【００２８】
第１吹出口に設置されて空気の吹出方向を第１設置部の下方と長手方向前方との間で変更可能な第１フラップと第２吹出口に設置されて空気の吹出方向を第２設置部の下方と長手方向後方との間で変更可能な第２フラップとを備えているアンビエント照明ユニットは、室内の冷房時に第１および第２フラップを利用して冷房空気の吹出方向を第１および第２設置部の長手方向前方と長手方向後方とへ向けることで、第１および第２吹出口から吹き出された空気が第１および第２照明カバーの円弧を画く外周面に沿って流動するコアンダ効果が生じるから、冷房空気が天井近傍の高域空間を伝って室内の長手方向前方と長手方向後方とへ次第に拡散し、空気を室内全域に満遍なく行き渡らせることができる。アンビエント照明ユニットは、室内の暖房時に第１および第２フラップを利用して暖房空気の吹出方向を第１および第２設置部の下方に向けることで、天井近傍の高域空間における暖房空気の停滞を防ぐことができ、室内の中域空間や低域空間を確実に暖房することができる。
【００２９】
アンビエント照明ユニットは、取付ベースの第１および第２設置部の間に設置された予備照明器具と取付ベースの第１および第２設置部の間に設置された各種のセンサモジュールとのうちの少なくとも一方を備え、例えば予備照明器具が設置されている場合、その予備照明器具をたとえばタスク用照明として利用することで容易にタスク・アンビエント照明を実現することができ、室内の中域空間や低域空間における明るさを設計照度に保持することができるとともに、室内照明の省エネ化を図ることができる。アンビエント照明ユニットは、例えば各種のセンサモジュールが設置されている場合、それらセンサモジュールのセンサ機能を利用して室内の要求仕様を満たすことができ、居住空間の有益性や利便性を向上させることができる。
【００３０】
センサモジュールが室内の火災を検知する火災報知器、室内に消火用の水を散布するスプリンクラーヘッド、第１および第２光源の調光に利用される光感知センサ、人の存在を検知する人感センサ、室内に音を発するスピーカー、室内を撮影するカメラのうちの少なくとも１つであるアンビエント照明ユニットは、センサモジュールがたとえば火災報知器である場合、火災報知器が室内に発生した火災を検知することで、火災の発生を外部に知らせることができ、センサモジュールがたとえばスプリンクラーヘッドである場合、スプリンクラーヘッドから放出される水によって室内に発生した火災を消火することができる。センサモジュールがたとえば光感知センサである場合、光感知センサによって測定された照度や輝度等によって第１および第２光源を自動的に調光することができ、センサモジュールがたとえば人感センサである場合、人感センサによって人の存在を検出することで第１および第２光源を自動的にＯＮ／ＯＦＦすることができる。センサモジュールがたとえばスピーカーである場合、スピーカーによって必要事項を室内の居住者に知らせることができ、センサモジュールがたとえばカメラである場合、室内の様子をカメラが捉えることで、室内の防犯を図ることができる。
【００３１】
第１照明カバーがその下端から上端に向かって９０°〜１８０°の範囲のうちの下端から上端に向かって少なくとも９０°で円弧を画き、第２照明カバーがその下端から上端に向かって９０°〜１８０°の範囲のうちの下端から上端に向かって少なくとも９０°で円弧を画いているアンビエント照明ユニットは、下端から上端に向かって少なくとも９０°で円弧を画く第１照明カバーの略上半分から長手方向前方へ光が照射され、下端から上端に向かって少なくとも９０°で円弧を画く第２照明カバーの略上半分から長手方向後方へ光が照射されるから、第１および第２光源から発せられた光によって天井近傍の高域空間が照らされ、天井近傍における高域空間を明るくすることができ、室内全域を明るい雰囲気にすることができるとともに、天井近傍の高域空間と室内の中域空間や低域空間との明暗の差を小さくすることができる。アンビエント照明ユニットは、少なくとも９０°で円弧を画く第１および第２照明カバーの略下半分から下方に照射された光がアンビエント照明になるから、アンビエント照明ユニットの下方にタスク用照明を設置することにより、容易にタスク・アンビエント照明を実現することができ、室内の中域空間や低域空間における明るさを確保することができるとともに、室の居住者の快適性を損なうことを抑えながら、室内照明の省エネ化を図ることができる。
【００３２】
本発明に係る照明システムによれば、長手方向へ並ぶアンビエント照明ユニットの第１照明器具の第１照明カバーが取付ベースの第１設置部の下方から上方に向かって長手方向前方へ凸となるように円弧を画くとともに第１光源を覆って短手方向へ延びており、長手方向へ並ぶアンビエント照明ユニットの第２照明器具の第２照明カバーが取付ベースの第２設置部の下方から上方に向かって長手方向前方へ凸となるように円弧を画くとともに第２光源を覆って短手方向へ延びているから、それら第１光源から発せられた光が第１照明カバーの略上半分から長手方向前方へ照射され、それら第２光源から発せられた光が第２照明カバーの略上半分から長手方向後方へ照射され、各第１および第２光源から発せられた光が天井近傍の高域空間を照らすことで、天井近傍における高域空間を明るくすることができ、室内全域を明るい雰囲気にすることができる。
【００３３】
照明システムは、室の居住者が長手方向前方や長手方向後方から室内を見たときにそれらアンビエント照明ユニットによって室内の天井近傍の高域空間が明るく見えるから、天井近傍の高域空間と室内の中域空間や低域空間との明暗の差を小さくすることができ、居住者にストレスを与えることがない。また、それらアンビエント照明ユニットの第１および第２照明カバーを介して第１および第２光源から発せられた光が第１および第２照明カバーの外周面全域から満遍なく照射されるから、柔らかい明るさ感を演出することができ、明るさ感指標を向上させることができる。
【００３４】
照明システムは、それらアンビエント照明ユニットの円弧を画く第１および第２照明カバーの略下半分から下方に照射された光がアンビエント照明になるから、アンビエント照明ユニットの下方にタスク用照明を設置することにより、容易にタスク・アンビエント照明を実現することができ、室の居住者の快適性を損なうことを抑えながら、室内照明の省エネ化を図ることができる。
【００３５】
照明システムは、それらアンビエント照明ユニットが第１照明カバーの下端から第１照明カバーの外周面に向かって空気を吹き出す第１吹出口と第２照明カバーの下端から第２照明カバーの外周面に向かって空気を吹き出す第２吹出口とを備え、第１および第２吹出口から吹き出された空気が第１および第２照明カバーの円弧を画く外周面に沿って流動するコアンダ効果が生じ、第１および第２照明カバーの外周面に沿って流動した空気が天井近傍の高域空間を伝って室内の長手方向前方と長手方向後方とへ拡散するから、室内に給気される空気を室内全域に満遍なく行き渡らせることができる。照明システムは、第１および第２吹出口から吹き出された空気が室の居住者に直接当たることはなく、空気が居住者に直接当たることによる不快感を防ぐことができる。
【００３６】
それらアンビエント照明ユニットの取付ベースが前後壁と頂壁と両側壁とに囲繞された所定容積の収容スペースを備え、それらアンビエント照明ユニットが取付ベースの収容スペースに設置された空調モジュールを備え、それらアンビエント照明ユニットの空調モジュールによって作られた空調空気が第１吹出口から第１照明カバーの外周面に向かって吹き出されるとともに、空調モジュールによって作られた空調空気が第２吹出口から第２照明カバーの外周面に向かって吹き出される照明システムは、空調モジュールによって作られた空調空気が第１および第２照明カバーの円弧を画く外周面に沿って流動するコアンダ効果が生じ、空調空気が天井近傍の高域空間を伝って室内の長手方向前方と長手方向後方とへ拡散するから、空調空気を室内全域に満遍なく行き渡らせることができる。アンビエント照明ユニットは、空調モジュールによって作られた空調空気が第１および第２吹出口から室の居住者に直接当たることはなく、空調空気が居住者に直接当たることによる不快感を防ぐことができる。アンビエント照明ユニットは、取付ベースの第１および第２設置部の間に設置された空調モジュールによって空調空気を作ることができるから、空調設備をコンパクトかつ廉価に構築することができる。
【００３７】
それらアンビエント照明ユニットが第１吹出口に設置されて空気の吹出方向を第１設置部の下方と長手方向前方との間で変更可能な第１フラップと第２吹出口に設置されて空気の吹出方向を第２設置部の下方と長手方向後方との間で変更可能な第２フラップとを備えている照明システムは、室内の冷房時にそれらアンビエント照明ユニットの第１および第２フラップを利用して冷房空気の吹出方向を第１および第２設置部の長手方向前方と長手方向後方とへ向けることで、第１および第２吹出口から吹き出された空気が第１および第２照明カバーの円弧を画く外周面に沿って流動するコアンダ効果が生じるから、冷房空気が天井近傍の高域空間を伝って室内の長手方向前方と長手方向後方とへ次第に拡散し、空気を室内全域に満遍なく行き渡らせることができる。照明システムは、室内の暖房時にそれらアンビエント照明ユニットの第１および第２フラップを利用して暖房空気の吹出方向を第１および第２設置部の下方に向けることで、天井近傍の高域空間における暖房空気の停滞を防ぐことができ、室内の中域空間や低域空間を確実に暖房することができる。
【００３８】
照明システムは、それらアンビエント照明ユニットが取付ベースの第１および第２設置部の間に設置された予備照明器具と取付ベースの第１および第２設置部の間に設置された各種のセンサモジュールとのうちの少なくとも一方を備え、それらアンビエント照明ユニットに例えば予備照明器具が設置されている場合、その予備照明器具をたとえばタスク用照明として利用することで容易にタスク・アンビエント照明を実現することができ、室内の中域空間や低域空間における明るさを設計照度に保持することができるとともに、室内照明の省エネ化を図ることができる。照明システムは、それらアンビエント照明ユニットに例えば各種のセンサモジュールが設置されている場合、それらセンサモジュールのセンサ機能を利用して室内の要求仕様を満たすことができ、居住空間の有益性や利便性を向上させることができる。
【００３９】
それらアンビエント照明ユニットに設置されたセンサモジュールが室内の火災を検知する火災報知器、室内に消火用の水を散布するスプリンクラーヘッド、第１および第２光源の調光に利用される光感知センサ、人の存在を検知する人感センサ、室内に音を発するスピーカー、室内を撮影するカメラのうちの少なくとも１つである照明システムは、センサモジュールがたとえば火災報知器である場合、火災報知器が室内に発生した火災を検知することで、火災の発生を外部に知らせることができ、センサモジュールがたとえばスプリンクラーヘッドである場合、スプリンクラーヘッドから放出される水によって室内に発生した火災を消火することができる。センサモジュールがたとえば光感知センサである場合、光感知センサによって測定された照度や輝度等によって第１および第２光源を自動的に調光することができ、センサモジュールがたとえば人感センサである場合、人感センサによって人の存在を検出することで第１および第２光源を自動的にＯＮ／ＯＦＦすることができる。センサモジュールがたとえばスピーカーである場合、スピーカーによって必要事項を室内の居住者に知らせることができ、センサモジュールがたとえばカメラである場合、室内の様子をカメラが捉えることで、室内の防犯を図ることができる。
【００４０】
上部スラブの長手方向へ延びる両側縁部の間に位置して短手方向へ延びる複数のアンビエント照明ユニットが所定の吊り下げ手段を利用して取付ベースを上部スラブから吊り下げることで上部スラブに平行して設置され、複数のアンビエント照明ユニットが短手方向へ一列に並ぶとともに上部スラブの長手方向前方から後方に向かって所定寸法離間しつつ平行して並び、長手方向へ所定寸法離間して並ぶ複数のアンビエント照明ユニットが前記室の天井面を形成している照明システムは、それらアンビエント照明ユニットを天井面として利用することができるから、室の上部スラブに野縁や野縁受けを設置する必要や野縁に天井ボードを設置する必要はなく、天井面を容易に構築することができる。
【００４１】
第１照明カバーの下端から第１照明カバーの外周面に向かって空気を吹き出す第１吹出口と第２照明カバーの下端から第２照明カバーの外周面に向かって空気を吹き出す第２吹出口と第１および第２設置部の間に着脱可能に設置された空調モジュールとのうちの少なくとも第１および第２吹出口を備えた第１アンビエント照明ユニットと、第１および第２設置部の間に着脱可能に設置された予備照明器具と第１および第２設置部の間に着脱可能に設置された各種のセンサモジュールとのうちの少なくとも一方を備えた第２アンビエント照明ユニットとが混在した状態で、第１および第２アンビエント照明ユニットが長手方向へ所定寸法離間して並んでいる照明システムは、空気の給気が必要であって予備照明器具やセンサモジュールが不要な居住空間の上部スラブに第１および第２吹出口と空調モジュールとのうちの少なくとも第１および第２吹出口を備えた第１アンビエント照明ユニットを設置することで、その居住空間に空気を給気することができ、予備照明器具やセンサモジュールが必要であって空気の給気な不要な居住空間の上部スラブに予備照明器具やセンサモジュールを備えた第２アンビエント照明ユニットを設置することで、室内の各居住空間の目的や各居住空間の用途、各居住空間の有益性の向上、各居住空間の利便性の向上等に対応することができる。
【図面の簡単な説明】
【００４２】
【図１】一例として示すアンビエント照明ユニットの斜視図。
【図２】一例として示す取付ベースの斜視図。
【図３】アンビエント照明ユニットの側面図。
【図４】アンビエント照明ユニットの正面図。
【図５】空調空気の吹出口モジュールを備えたアンビエント照明ユニットが建物の室の天井スラブに設置された照明システムの一例を示す側面図。
【図６】長手方向から見た照明システムの一例を示す室内のパース図。
【図７】他の一例として示す空調モジュールを備えたアンビエント照明ユニットの側面図。
【図８】冷房時における第１および第２フラップの状態を示すアンビエント照明ユニットの側面図。
【図９】暖房時における第１および第２フラップの状態を示すアンビエント照明ユニットの側面図。
【図１０】空調モジュールを備えたアンビエント照明ユニットが室の天井スラブに設置された照明システムの一例を示す側面図。
【図１１】他の一例として示すセンサ設置用モジュールを備えたアンビエント照明ユニットの側面図。
【図１２】センサ設置用モジュールを備えたアンビエント照明ユニットが室の天井スラブに設置された照明システムの一例を示す側面図。
【図１３】空調モジュールを備えたアンビエント照明ユニットおよびセンサ設置用モジュールを備えたアンビエント照明ユニットが室の天井スラブに設置された照明システムの一例を示す側面図。
【発明を実施するための形態】
【００４３】
一例として示すアンビエント照明ユニット１０Ａの斜視図である図１等の添付の図面を参照し、本発明にかかるアンビエント照明ユニットおよび照明システムの詳細を説明すると、以下のとおりである。なお、図２は、一例として示す取付ベース１３の斜視図であり、図３は、アンビエント照明ユニット１０Ａの側面図である。図４は、アンビエント照明ユニット１０Ａの正面図である。
【００４４】
図３，４は、アンビエント照明ユニット１０Ａが天井スラブ１２に設置された状態で示す。図３では、側壁２２の図示を省略している。図３では、長手方向を矢印Ｘ、下方を矢印Ｚで示すとともに、長手方向前方を矢印Ｘ１、長手方向後方を矢印Ｘ２で示す。図４では、短手方向を矢印Ｙで示し、下方を矢印Ｚで示す。
【００４５】
アンビエント照明ユニット１０Ａは、建物（建造物）の室１１の天井スラブ１２に設置されて建物の室内を照らすアンビエント照明に使用されるとともに、図示しない空調装置によって作られた空調空気を室内に給気する給気ユニットとして使用される。天井スラブ１２には、打ち放しコンクリートまたはコンクリートスラブに天井仕上げ材が施工されたそれが含まれる。
【００４６】
アンビエント照明ユニット１０Ａは、短手方向へ延びる取付ベース１３と、取付ベース１３に取り付けられて短手方向へ延びる第１照明器具１４および第２照明器具１５と、取付ベース１３に設置された吹出口モジュール１６（図３参照）とから形成されている。吹出口モジュール１６は、第１吹出口１７と第２吹出口１８とを有する。アンビエント照明ユニット１０Ａでは、取付ベース１３から吹出口モジュール１６（第１および第２吹出口１７，１８）を取り外すことができる。
【００４７】
取付ベース１３は、金属板または合成樹脂板から作られている。取付ベース１３は、図２に示すように、短手方向へ延びる略長方形の前壁１９（第１設置部）と、前壁１９の長手方向後方へ所定寸法離間して短手方向へ延びる略長方形の後壁２０（第２設置部）と、前後壁１９，２０の上端縁の間に位置して短手方向へ延びる略長方形の頂壁１８と、前後壁１９，２０と頂壁２１との間に位置して長手方向へ延びる略長方形の両側壁２２，２３と、前後壁１９，２０の下端縁の間に位置して短手方向へ延びる略長方形の開口閉鎖パネル２４（底蓋）とを有する。取付ベース１３には、前後壁１９，２０と頂壁２１と両側壁２２，２３とに囲繞された所定容積の収容スペース２５が画成されている。
【００４８】
前壁１９は、短手方向へ延びる第１設置部になり、後壁２０は、第１設置部から長手方向後方へ所定寸法離間して短手方向へ延びる第２設置部になる。開口閉鎖パネル２４は、両側壁２２，２３に連結手段（図示せず）によって着脱可能に連結されている。開口閉鎖パネル２４を両側壁２２，２３に連結することで取付ベース１３の下部開口２６が閉鎖され、開口閉鎖パネル２４を両側壁２２，２３から取り外すことで取付ベース１３の下部開口２６が開放される。アンビエント照明ユニット１０Ａの使用時では、開口閉鎖パネル２４が第１および第２吹出口１７，１８の間に取り付けられ、開口閉鎖パネル２４によって取付ベース１３の第１および第２吹出口１７，１８を除く下部開口２６が塞がれている。
【００４９】
取付ベース１３の頂壁２１には、給気ダクト（図示せず）を接続する接続ダクト２７が取り付けられている。頂壁２１には、前壁１９から長手方向前方へ延びる略長方形の前方延出頂壁２８と、後壁２０から長手方向後方へ延びる略長方形の後方延出頂壁２９とが連接されている。両側壁２２，２３には、前壁１９から長手方向前方へ延びる平面扇形（四分の１の円）の前方延出側壁３０が連接されているとともに、後壁２０から長手方向後方へ延びる平面扇形（四分の１の円）の後方延出側壁３１とが連接されている。
【００５０】
前壁１９の下端と前方延出頂壁２８の前端との間に延びる前方延出側壁３０の周縁は、前壁１９の下端から前方延出頂壁２８の前端に向かって長手方向前方へ凸となるように円弧を画いている。後壁２０の下端と後方延出頂壁２９の後端との間に延びる後方延出側壁３１の周縁は、後壁２０の下端から後方延出頂壁２９の後端に向かって長手方向後方へ凸となるように円弧を画いている。
【００５１】
第１照明器具１４は、取付ベース１３の前壁１９（第１設置部）に設置されて短手方向へ延びる第１光源３２と、第１光源３２を覆って短手方向へ延びる第１照明カバー３３とから形成されている。第１光源３２には、短手方向へ延びる直管蛍光灯または短手方向へ延びる直管蛍光灯形のＬＥＤ照明が使用されている。第１光源３２は、スイッチ（図示せず）のＯＮ／ＯＦＦによって点灯または消灯する。なお、前壁１９（第１光源３２の後方）に反射板が取り付けられていてもよい。
【００５２】
第１照明カバー３３は、取付ベース１３の前壁１９（第１設置部）に設置され、前壁１９の下端（第１設置部の下方）から前方延出頂壁２８の前端（第１設置部の上方）に向かって長手方向前方へ凸となるように円弧を画いている。第１照明カバー３３は、前壁１９の下端と前方延出頂壁２８の前端と前方延出側壁３０の周縁とに固定手段（図示せず）によって固定されている。第１照明カバー３３は、白色の合成樹脂から作られているが、透明な合成樹脂から作られていてもよい。なお、第１照明カバー３３の内周面に拡散板が取り付けられていてもよい。
【００５３】
第１照明カバー３３は、その下端３４から上端３５に向かって９０°で円弧を画いている。第１照明カバー３３と前壁１９と前方延出頂壁２８とから作られる側面形状は、前方延出側壁２８の平面形状と同一の扇形（四分の１の円）である。なお、第１照明カバー３３がその下端３４から上端３５に向かって１８０°で円弧を画いていてもよく、第１照明カバー３３がその下端３４から上端３５に向かって９０°を超過し、かつ、１８０°未満の範囲で円弧を画いていてもよい。
【００５４】
第１照明器具１４では、第１光源３２から発せられた光が第１照明カバー３３の略上半分から長手方向前方へ照射され、その光が室１１の一方の端部の天井近傍に達する。第１照明カバー３３のその下端３４から上端３５に向かって円弧を画く角度が９０°未満では、第１光源３２から発せられた光が室１１の一方の端部の天井近傍に達することはなく、室１１の天井近傍の高域空間を照らすことができない。第１照明カバー３３がその下端３４から上端３５に向かって９０°〜１８０°の範囲で円弧を画いているから、第１光源３２から発せられた光が室１１の一方の端部の天井近傍に達し、第１光源３２によって室１１の天井近傍の高域空間を照らすことができる。
【００５５】
第２照明器具１５は、取付ベース１３の後壁２０（第２設置部）に設置されて短手方向へ延びる第２光源３６と、第２光源３６を覆って短手方向へ延びる第２照明カバー３７とから形成されている。第２光源３６には、短手方向へ延びる直管蛍光灯または短手方向へ延びる直管蛍光灯形のＬＥＤ照明が使用されている。第２光源３６は、第１光源３２と連動しつつスイッチ（図示せず）のＯＮ／ＯＦＦによって点灯または消灯する。なお、後壁２０（第２光源３６の前方）に反射板が取り付けられていてもよい。
【００５６】
第２照明カバー３７は、取付ベース１３の後壁２０（第２設置部）に設置され、後壁２０の下端（第２設置部の下方）から後方延出頂壁２９の後端（第２設置部の上方）に向かって長手方向後方へ凸となるように円弧を画いている。第２照明カバー３７は、後壁２０の下端と後方延出頂壁２９の後端と後方延出側壁３１の周縁とに固定手段（図示せず）によって固定されている。第２照明カバー３７は、白色の合成樹脂から作られているが、透明な合成樹脂から作られていてもよい。なお、第２照明カバー３７の内周面に拡散板が取り付けられていてもよい。第１および第２光源３２，３６の照度や輝度を調節する調光器がアンビエント照明ユニット１０Ａに設置されていてもよい。
【００５７】
第２照明カバー３７は、その下端３８から上端３９に向かって９０°で円弧を画いている。第２照明カバー３７と後壁２０と後方延出頂壁２９とから作られる側面形状は、後方延出側壁３１の平面形状と同一の扇形（四分の１の円）である。なお、第２照明カバー３７がその下端３８から上端３９に向かって１８０°で円弧を画いていてもよく、第２照明カバー３７がその下端３８から上端３９に向かって９０°を超過し、かつ、１８０°未満の範囲で円弧を画いていてもよい。
【００５８】
第２照明器具１５では、第２光源３６から発せられた光が第２照明カバー３７の略上半分から長手方向後方へ照射され、その光が室１１の他方の端部の天井近傍に達する。第２照明カバー３７のその下端３８から上端３９に向かって円弧を画く角度が９０°未満では、第２光源３６から発せられた光が室１１の他方の端部の天井近傍に達することはなく、室１１の天井近傍の高域空間を照らすことができない。第２照明カバー３７がその下端３８から上端３９に向かって９０°〜１８０°の範囲で円弧を画いているから、第２光源３６から発せられた光が室１１の他方の端部の天井近傍に達し、第２光源３６によって室１１の天井近傍の高域空間を照らすことができる。
【００５９】
吹出口モジュール１６の第１吹出口１７は、取付ベース１３の前壁１９の下端（第１設置部の下方）に着脱可能に作られて短手方向へ延びている。第１吹出口１７は、第１照明カバー３３の下端３８から第１照明カバー３３の外周面４０に向かって空気を室内へ吹き出す。給気ダクトから吹出口モジュール１６に給気された空調空気は、第１吹出口１７から室内に給気される。
【００６０】
吹出口モジュール１６の第２吹出口１８は、取付ベース１３の後壁２０の下端（第２設置部の下方）に着脱可能に作られて短手方向へ延びている。第２吹出口１８は、第２照明カバー３７の下端３８から第２照明カバー３７の外周面４１に向かって空気を室内に吹き出す。給気ダクトから吹出口モジュール１６に給気された空調空気は、第２吹出口１８から室内に給気される。
【００６１】
アンビエント照明ユニット１０Ａは、短手方向へ並ぶ複数のハンガー４２および短手方向へ並ぶ複数本の吊りボルト４３（吊り下げ手段）を利用して天井スラブ１２から吊り下げることで天井スラブ１２に設置されている。それらハンガー４２は、取付ベース１３に取り付けられている。それら吊りボルト４３は、その下端部がハンガー４２に螺着され、その上端部が天井スラブ１２に螺着されている。
【００６２】
アンビエント照明ユニット１０Ａ（アンビエント照明ユニット１０Ｂ，１０Ｃを含む）は、ハンガー４２および吊りボルト４３（吊り下げ手段）を利用することで、取付ベース１３を天井スラブ１２（室１１の上部スラブ）の所定の吊り下げ位置に容易に吊り下げることができ、アンビエント照明ユニット１０Ａを手間やコストを要せずに短時間で天井スラブ１２に設置することができるとともに、不要になったアンビエント照明ユニット１０Ａを手間やコストを要せずに短時間で天井スラブ１２から取り外すことができる。
【００６３】
図５は、空調空気の吹出口モジュール１６を備えたアンビエント照明ユニット１０Ａが建物の室１１の天井スラブ１２に設置された照明システムＳ１の一例を示す側面図であり、図６は、長手方向から見た照明システムＳ１の一例を示す室内のパース図である。図５では、側壁２２の図示を省略している。図６では、机やデスクライト４６の図示を省略している。図５では、長手方向前方を矢印Ｘ１、長手方向後方を矢印Ｘ２で示し、下方を矢印Ｚで示す。図６では、長手方向を矢印Ｘ、短手方向を矢印Ｙ、下方を矢印Ｚで示す。
【００６４】
照明システムＳ１は、短手方向へ一列に並ぶとともに、天井スラブ１２（上部スラブ）の長手方向へ所定寸法離間して並ぶ複数のアンビエント照明ユニット１０Ａから形成されている。それらアンビエント照明ユニット１０Ａは、ハンガー４２および吊りボルト４３（吊り下げ手段）を利用して天井スラブ１２から吊り下げられている。
【００６５】
それらアンビエント照明ユニット１０Ａは、天井スラブ１２の長手方向へ延びる両側縁部の間に位置して短手方向へ延びている。それらアンビエント照明ユニット１０Ａは、床面４４からの高さ（吊り下げ高さ）が同一であり、天井スラブ１２に平行して設置されているとともに、長手方向前方から後方に向かって隣り合うそれらアンビエント照明ユニット１０Ａどうしが互いに平行して並んでいる。
【００６６】
なお、各アンビエント照明ユニット１０Ａの長手方向への離間寸法やアンビエント照明ユニット１０Ａの数に特に制限はなく、室１１の長手方向の寸法（奥行き）や室１１の高さ、室１１に求められる明るさ等の各種の条件によってアンビエント照明ユニット１０Ａの長手方向への離間寸法や数を適宜決定することができる。
【００６７】
照明システムＳ１では、長手方向へ所定寸法離間して並ぶそれらアンビエント照明ユニット１０Ａが室１１（天井スラブ１２）の天井面を形成している。照明システムＳ１は、それらアンビエント照明ユニット１０Ａを天井面として利用することができるから、室１１の天井スラブ１２に野縁や野縁受けを設置する必要や野縁に天井ボードを設置する必要はなく、室１１に天井面を容易に構築することができる。
【００６８】
スイッチをＯＮにすると、第１および第２光源３２，３６（第１および第２照明器具１４，１５）が点灯する。第１光源３２が点灯すると、第１照明カバー３３が前壁１９の下端（第１設置部の下方）から前方延出頂壁２８の前端（第１設置部の上方）に向かって長手方向前方へ凸となるように円弧を画いているから、図５に矢印Ｚで示すように、第１光源３２から発せられた光が第１照明カバー３３の略下半分から下方（鉛直方向）へ照射されるとともに、図５に矢印Ｘ１で示すように、第１光源３２から発せられた光が第１照明カバー３３の略上半分から長手方向前方（水平方向）へ照射される。第１光源３２から発せられた光は、矢印Ｚで示す下方（鉛直方向）と矢印Ｘ１で示す長手方向前方（水平方向）との間の斜め方向へも照射される。
【００６９】
第２光源３６が点灯すると、第２照明カバー３７が後壁２０の下端（第２設置部の下方）から後方延出頂壁２９の後端（第２設置部の上方）に向かって長手方向後方へ凸となるように円弧を画いているから、図５に矢印Ｚで示すように、第２光源３６から発せられた光が第２照明カバー３７の略下半分から下方（鉛直方向）へ照射されるとともに、図５に矢印Ｘ１で示すように、第２光源３６から発せられた光が第２照明カバー３７の略上半分から長手方向後方（水平方向）へ照射される。第２光源３６から発せられた光は、矢印Ｚで示す下方（鉛直方向）と矢印Ｘ２で示す長手方向後方（水平方向）との間の斜め方向へも照射される。
【００７０】
照明システムＳ１では、それらアンビエント照明ユニット１０Ａの第１および第２光源３２，３６から発せられた光が室１１の中域空間や底域空間を照らすとともに、第１および第２光源３２，３６から発せられた光が室１１の天井近傍の高域空間を照らす。図５の照明システムＳ１では、アンビエント照明ユニット１０Ａの直下に事務机４５が設置され、その事務机４５にタスク用照明となるデスクライト４６が載置されており、アンビエント照明ユニット１０Ａとデスクライト４６とからタスク・アンビエント照明が形成されている。
【００７１】
照明システムＳ１では、空調装置によって作られた空調空気が給気ダクトからそれらアンビエント照明ユニット１０Ａに給気されている。給気ダクトから各照明ユニット１０Ａに給気された空調空気は、吹出口モジュール１６の第１吹出口１７から室内に吹き出されるとともに、第２吹出口１８から室内に吹き出される。第１吹出口１７から吹き出された空調空気は、図５に矢印Ｘ３で示すように、第１照明カバー３３の下端３４から第１照明カバー３３の外周面４０に向かって吹き出され、第１照明カバー３３の円弧を画く外周面４０に沿って流動するコアンダ効果により、第１照明カバー３３の外周面４０に沿って流動しつつ、天井近傍の高域空間を伝って室内の長手方向前方へ次第に拡散する。
【００７２】
第２吹出口１８から吹き出された空調空気は、図５に矢印Ｘ４で示すように、第２照明カバー３７の下端３８から第２照明カバー３７の外周面４１に向かって吹き出され、第２照明カバー３７の円弧を画く外周面４１に沿って流動するコアンダ効果により、第２照明カバー３７の外周面４１に沿って流動しつつ、天井近傍の高域空間を伝って室内の長手方向後方へ次第に拡散する。
【００７３】
照明システムＳ１（アンビエント照明ユニット１０Ａ）は、ユニット１０Ａの第１照明器具１４の第１照明カバー３３が取付ベース１３の前壁１９（第１設置部）の下方から上方に向かって長手方向前方へ凸となるように円弧を画くとともに第１光源３２を覆って短手方向へ延びており、ユニット１０Ａの第２照明器具１５の第２照明カバー３７が取付ベース１３の後壁２０（第２設置部）の下方から上方に向かって長手方向前方へ凸となるように円弧を画くとともに第２光源３６を覆って短手方向へ延びているから、第１光源３２から発せられた光が第１照明カバー３３の略上半分から長手方向前方へ照射され、第２光源３６から発せられた光が第２照明カバー３７の略上半分から長手方向後方へ照射され、第１および第２光源３２，３６から発せられた光が室１１の天井近傍の高域空間を照らすことで、天井近傍における高域空間を明るくすることができ、室内全域を明るい雰囲気にすることができる。
【００７４】
照明システムＳ１（アンビエント照明ユニット１０Ａ）は、居住者が室１１の一方の端部から長手方向後方に向かって室内を見たときに、図６に示すように、第１照明カバー３３の略上半分から長手方向前方へ照射された光によって室１１の天井近傍の高域空間が明るく見えるから、天井近傍の高域空間と室内の中域空間や低域空間との明暗の差を小さくすることができ、居住者にストレスを与えることがない。また、居住者が室１１の他方の端部から長手方向前方に向かって室内を見たときに、第２照明カバー３７の略上半分から長手方向後方へ照射された光によって室１１の天井近傍の高域空間が明るく見えるから、天井近傍の高域空間と室内の中域空間や低域空間との明暗の差を小さくすることができ、居住者にストレスを与えることがない。
【００７５】
照明システムＳ１（アンビエント照明ユニット１０Ａ）は、円弧を画く第１および第２照明カバー３３，３７を介して第１および第２光源３２，３６から発せられた光が第１および第２照明カバー３３，３７の外周面全域から満遍なく照射されるから、柔らかい明るさ感を演出することができ、明るさ感指標を向上させることができる。照明システムＳ１（アンビエント照明ユニット１０Ａ）は、円弧を画く第１および第２照明カバー３３，３７の略下半分から下方に照射された光が室１１の中域空間や低域空間を照らし、その光がアンビエント照明になるから、アンビエント照明ユニットの下方にデスクライト４６（タスク用照明）を設置することにより、容易にタスク・アンビエント照明を実現することができ、室１１の居住者の快適性を損なうことを抑えながら、室内照明の省エネ化を図ることができる。
【００７６】
照明システムＳ１（アンビエント照明ユニット１０Ａ）は、第１および第２吹出口１７，１８から吹き出された空気が第１および第２照明カバー３３，３７の円弧を画く外周面４０，４１に沿って流動するコアンダ効果が生じ、第１および第２照明カバー３３，３７の外周面４０，４１に沿って流動した空気が室１１の天井近傍の高域空間を伝って室内の長手方向前方と長手方向後方とへ次第に拡散するから、室内に給気された空気を室内全域に満遍なく行き渡らせることができる。照明システムＳ１（アンビエント照明ユニット１０Ａ）は、第１および第２吹出口１７，１８から吹き出された空気が室１１の居住者に直接当たることはなく、空気が居住者に直接当たることによる不快感を防ぐことができる。
【００７７】
図７は、他の一例として示す空調モジュール４７を備えたアンビエント照明ユニット１０Ｂの側面図であり、図８は、冷房時における第１および第２フラップ５０，５１の状態を示すアンビエント照明ユニット１０Ｂの側面図である。図９は、暖房時における第１および第２フラップ５０，５１の状態を示すアンビエント照明ユニット１０Ｂの側面図であり、図１０は、空調モジュール４７を備えたアンビエント照明ユニット１０Ｂが室１１の天井スラブ１２に設置された照明システムＳ２の一例を示す側面図である。図７，１０では側壁２２の図示を省略している。図８，９では、側壁２２および空調モジュール４７の冷媒コイルの図示を省略している。図１０では、長手方向前方を矢印Ｘ１、長手方向後方を矢印Ｘ２で示し、下方を矢印Ｚで示す。
【００７８】
このアンビエント照明ユニット１０Ｂが図１のアンビエント照明ユニット１０Ａと異なるところは、取付ベース１３の収容スペース２５に吹出口モジュール１６が取り付けられておらず、取付ベース１３の収容スペース２５に空調モジュール４７が設置されている点、取付ベース１３の収容スペース２５に第１空気流路４８と第２空気流路４９とが作られている点、取付ベース１３の収容スペース２５に第１フラップ５０と第２フラップ５１とが設置されている点にある。アンビエント照明ユニット１０Ｂのその他の構成は図１のアンビエント照明ユニット１０Ａのそれらと同一であるから、その他の構成についての図１の説明を援用するとともに、図１と同一の符号を付すことで、このアンビエント照明ユニット１０Ｂにおけるその他の構成の詳細な説明は省略する。
【００７９】
アンビエント照明ユニット１０Ｂは、建物の室１１の天井スラブ１２に設置されて建物の室内を照らすアンビエント照明に使用されるとともに、空調モジュール４７によって作られた空調空気を室内に給気する給気ユニットとして使用される。アンビエント照明ユニット１０Ｂは、短手方向へ延びる取付ベース１３と、取付ベース１３に取り付けられて短手方向へ延びる第１照明器具１４および第２照明器具１５と、空調モジュール４７と、第１吹出口１７および第２吹出口１８と、第１空気流路４８および第２空気流路４９と、第１フラップ５０および第２フラップ５１とから形成されている。取付ベース１３や第１および第２照明器具１４，１５は、図１のアンビエント照明ユニット１０Ａのそれらと同一である。なお、アンビエント照明ユニット１０Ｂでは、取付ベース１３の下部開口２６に開口閉鎖パネル２４が設置されていない。
【００８０】
空調モジュール４７は、前壁１９（第１設置部）と後壁２０（第２設置部）との間の収容スペース２５に着脱可能に設置（内蔵）されている。なお、取付ベース１３の頂壁２１に給気ダクト（図示せず）を接続する接続ダクト２７が取り付けられ、給気ダクトから給気された外気が空調モジュール４７に流入する。空調モジュール４７は、空気取入口から室内空気を取り入れ、冷媒コイルによって室内空気の温度や湿度を調節（空調）して空調空気を作り、その空調空気と外気との混合空気を空気給気口から第１および第２空気流路４８，４９に給気する。
【００８１】
第１吹出口１７は、取付ベース１３の前壁１９の下端（第１設置部の下方）に着脱可能に作られて短手方向へ延びている。第１吹出口１７は、第１照明カバー３３の下端３４から第１照明カバー３３の外周面４０に向かって空気を吹き出す。第１空気流路４８は、取付ベース１３の前壁１９の直後に着脱可能に作られている。第１空気流路４８は、その下端部が第１吹出口１７につながり、その上部が空調モジュール４７の空気給気口につながっている。空調モジュール４７によって作られた空調空気と外気との混合空気は、第１空気流路４８を通って第１吹出口１７から室内に給気される。
【００８２】
第２吹出口１８は、取付ベース１３の後壁２０の下端（第２設置部の下方）に着脱可能に作られて短手方向へ延びている。第２吹出口１８は、第２照明カバー３７の下端３８から第２照明カバー３７の外周面４１に向かって空気を吹き出す。第２空気流路４９は、取付ベース１３の後壁２０の直後に着脱可能に作られている。第２空気流路４９は、その下端部が第２吹出口１８につながり、その上部が空調モジュール４７の空気給気口につながっている。空調モジュール４７によって作られた空調空気と外気との混合空気は、第２空気流路４９を通って第２吹出口１８から室内に給気される。
【００８３】
第１フラップ５０は、第１吹出口１７近傍の第１空気流路４８に着脱可能に設置されている。第１フラップ５０は、長手方向前方（水平方向）と下方（鉛直方向）とへ旋回可能であり、第１吹出口１７から吹き出される空調空気（混合空気）の吹出方向を前壁１９（第１設置部）の下方（鉛直方向）と長手方向前方（水平方向）との間で変更する。第２フラップ５１は、長手方向後方（水平方向）と下方（鉛直方向）とへ旋回可能であり、第２吹出口１８近傍の第２空気流路４９に着脱可能に設置されている。第２フラップ５１は、第２吹出口１８から吹き出される空調空気（混合空気）の吹出方向を後壁２０（第２設置部）の下方（鉛直方向）と長手方向前方（水平方向）との間で変更する。
【００８４】
取付ベース１３から空調モジュール４７（第１および第２空気流路４８，４９、第１および第２吹出口１７，１８、冷媒コイル）および第１および第２フラップ５０，５１を取り外すことができる。第１および第２フラップ５０，５１を長手方向へ旋回させると、図８に矢印Ｘ３，Ｘ４で示すように、冷房時における空調空気（混合空気）が第１吹出口１７から第１照明カバー３３の外周面４０に向かって吹き出されて長手方向前方へ向かって流動し、空調空気（混合空気）が第２吹出口１８から第２照明カバー３７の外周面４１に向かって吹き出されて長手方向後方へ向かって流動する。
【００８５】
アンビエント照明ユニット１０Ｂは、室１１の冷房時に第１および第２フラップ５０，５１を利用して冷房空気の吹出方向を長手方向前方と長手方向後方とへ向けることで、第１および第２吹出口１７，１８から吹き出された空気が第１および第２照明カバー３３，３７の円弧を画く外周面４０，４１に沿って流動するコアンダ効果が生じるから、第１および第２照明カバー３３，３７の外周面４０，４１に沿って流動した冷房空気が天井近傍の高域空間を伝って室１１の長手方向前方と長手方向後方とへ次第に拡散し、冷房空気を室内全域に満遍なく行き渡らせることができる。
【００８６】
第１および第２フラップ５０，５１を下方へ旋回させると、図９に矢印Ｘ５，Ｘ６で示すように、暖房時における空調空気（混合空気）が第１吹出口１７から床面４４に向かって吹き出されるとともに、第２吹出口１８から床面４４に向かって吹き出される。アンビエント照明ユニット１０Ｂは、室１１の暖房時に第１および第２フラップ５０，５１を利用して暖房空気の吹出方向を下方に向けることで、天井近傍の高域空間における暖房空気の停滞を防ぐことができ、室１１の中域空間や低域空間を確実に暖房することができる。
【００８７】
図１０に示す照明システムＳ２は、短手方向へ一列に並ぶとともに、天井スラブ１２の長手方向へ所定寸法離間して並ぶ複数のアンビエント照明ユニット１０Ｂから形成されている。なお、図１０では、第１および第２フラップ５０，５１が長手方向へ旋回しているものとする。それらアンビエント照明ユニット１０Ｂは、ハンガー４２および吊りボルト４３（吊り下げ手段）を利用して天井スラブ１２から吊り下げられ、室１１（天井スラブ１２）の天井面を形成している。それらアンビエント照明ユニット１０Ｂは、天井スラブ１２の長手方向へ延びる両側縁部の間に位置して短手方向へ延びている。アンビエント照明ユニット１０Ｂは、床面４４からの高さ（吊り下げ高さ）が同一であり、天井スラブ１２に平行して設置されているとともに、長手方向前方から後方に向かって隣り合うユニット１０Ｂどうしが互いに平行して並んでいる。
【００８８】
スイッチをＯＮにして第１光源３２および第２光源３６が点灯すると、それらアンビエント照明ユニット１０Ｂの第１光源３２から発せられた光が第１照明カバー３３の略下半分から下方（鉛直方向）へ照射されるとともに第１照明カバー３３の略上半分から長手方向前方（水平方向）へ照射され、それらアンビエント照明ユニット１０Ｂの第２光源３６から発せられた光が第２照明カバー３７の略下半分から下方（鉛直方向）へ照射されるとともに第２照明カバー３７の略上半分から長手方向後方（水平方向）へ照射される。第１および第２光源３２，３６から発せられた光は斜め方向へも照射される。
【００８９】
照明システムＳ２では、それらアンビエント照明ユニット１０Ｂの第１および第２光源３２，３６から発せられた光が室１１の中域空間や底域空間を照らすとともに、第１および第２光源３２，３６から発せられた光が室１１の天井近傍の高域空間を照らす。図１０に示す照明システムＳ２では、アンビエント照明ユニット１０Ｂの直下に事務机４５が設置され、その事務机４５にタスク用照明となるデスクライト４６が載置されており、アンビエント照明ユニット１０Ｂとデスクライト４６とからタスク・アンビエント照明が形成されている。
【００９０】
照明システムＳ２では、室内の空気が空調モジュール４７の空気取入口から空調モジュール４７に流入し、室内の空気の温度や湿度が空調モジュール４７によって調節され、温度や湿度が調節された空調空気（冷房空気）と外気との混合空気が空気給気口から第１および第２空気流路４８，４９に給気される。空調空気（混合空気）は、第１空気流路４８を通って第１吹出口１７から室内に吹き出されるとともに、第２空気流路４９を通って第２吹出口１８から室内に吹き出される。
【００９１】
第１吹出口１７から吹き出された空調空気（混合空気）は、図１０に矢印Ｘ３で示すように、第１照明カバー３３の下端３４から第１照明カバー３３の外周面４０に向かって吹き出され、第１照明カバー３３の円弧を画く外周面４０に沿って流動するコアンダ効果により、第１照明カバー３３の外周面４０に沿って流動しつつ、室１１の天井近傍の高域空間を伝って室１１の長手方向前方へ次第に拡散する。
【００９２】
第２吹出口１８から吹き出された空調空気（混合空気）は、図１０に矢印Ｘ４で示すように、第２照明カバー３７の下端３８から第２照明カバー３７の外周面４１に向かって吹き出され、第２照明カバー３７の円弧を画く外周面４１に沿って流動するコアンダ効果により、第２照明カバー３７の外周面４１に沿って流動しつつ、室１１の天井近傍の高域空間を伝って室１１の長手方向後方へ次第に拡散する。
【００９３】
照明システムＳ２（アンビエント照明ユニット１０Ｂ）は、照明システムＳ１（アンビエント照明ユニット１０Ａ）が有する効果に加え、以下の効果を有する。照明システムＳ２（アンビエント照明ユニット１０Ｂ）は、空調モジュール４７によって作られた空調空気（混合空気）が第１および第２照明カバー３３，３７の円弧を画く外周面４０，４１に沿って流動するコアンダ効果が生じ、第１および第２照明カバー３３，３７の外周面４０，４１に沿って流動した空調空気（混合空気）が室１１の天井近傍の高域空間を伝って室１１の長手方向前方と長手方向後方とへ次第に拡散するから、室１１に給気された空調空気（混合空気）を室内全域に満遍なく行き渡らせることができる。
【００９４】
照明システムＳ２（アンビエント照明ユニット１０Ｂ）は、空調モジュール４７によって作られた空調空気（冷房空気）と外気との混合空気が第１および第２吹出口１７，１８から室１１の居住者に直接当たることはなく、空調空気（混合空気）が居住者に直接当たることによる不快感を防ぐことができる。照明システムＳ２（アンビエント照明ユニット１０Ｂ）は、取付ベース１３の前後壁１９，２０（第１および第２設置部）の間の収容スペース２５に設置された空調モジュール４７によって空調空気（混合空気）を作ることができるから、照明ユニット１０Ｂ単独で空調空気（混合空気）を給気することができ、空調装置や給気ダクトを別途施設する必要はなく、空調設備をコンパクトかつ廉価に構築することができる。
【００９５】
図１１は、他の一例として示すセンサ設置用モジュール５６を備えたアンビエント照明ユニット１０Ｃの側面図であり、図１２は、センサ設置用モジュール５６を備えたアンビエント照明ユニット１０Ｃが室１１の天井スラブ１２に設置された照明システムＳ３の一例を示す側面図である。図１１では、側壁２２の図示を省略し、火災報知器５３が接続された火災報知設備やスプリンクラーヘッド５４が接続されたスプリンクラー設備の図示を省略している。図１２では、長手方向前方を矢印Ｘ１、長手方向後方を矢印Ｘ２で示し、下方を矢印Ｚで示す。
【００９６】
このアンビエント照明ユニット１０Ｃが図１のアンビエント照明ユニット１０Ａと異なるところは、取付ベース１３の収容スペース２５に吹出口モジュール１６が取り付けられておらず、取付ベース１３の収容スペース２５に予備照明器具５２が設置されている点、火災報知器５３（センサモジュール）およびスプリンクラーヘッド５４（センサモジュール）を取り付けたセンサ設置用モジュール５６が取付ベース１３の収容スペース２５に設置されている点にある。アンビエント照明ユニット１０Ｃのその他の構成は図１の照明ユニット１０Ａのそれらと同一であるから、その他の構成についての図１の説明を援用するとともに、図１と同一の符号を付すことで、この照明ユニット１０Ｃにおけるその他の構成の詳細な説明は省略する。
【００９７】
アンビエント照明ユニット１０Ｃは、建物の室１１の天井スラブ１２に設置されて建物の室内を照らすアンビエント照明に使用されるとともに、火災報知器５３によって室内の火災を検知し、スプリンクラーヘッド５４によって室内に消火用の水を散布する。アンビエント照明ユニット１０Ｃは、短手方向へ延びる取付ベース１３と、取付ベース１３に取り付けられて短手方向へ延びる第１照明器具１４および第２照明器具１５と、取付ベース１３の収容スペース２５に設置された一対の予備照明器具５２と、火災報知器５３およびスプリンクラーヘッド５４が取り付けられて取付ベース１３の収容スペース２５に設置されたセンサ設置用モジュール５６とから形成されている。取付ベース１３や第１および第２照明器具１４，１５は、図１のアンビエント照明ユニット１０Ａのそれらと同一である。それら予備照明器具５２の間には開口閉鎖パネル２４が取り付けられ、開口閉鎖パネル２４によって取付ベース１３の下部開口２６が塞がれている。
【００９８】
一方の予備照明器具５２は、取付ベース１３の収容スペース２５における前壁１９の下端（第１設置部の下方）に着脱可能に設置されて短手方向へ延びている。他方の予備照明器具５２は、取付ベース１３の収容スペース２５における後壁２０の下端（第２設置部の下方）に着脱可能に設置されて短手方向へ延びている。それら予備照明器具５２は、短手方向へ延びる光源（図示せず）と光源を覆う白色または透明の照明カバー５５とから形成されている。それら予備照明器具５２の光源には、短手方向へ延びる直管蛍光灯または短手方向へ延びる直管蛍光灯形のＬＥＤ照明が使用されている。それら予備照明器具５２の光源は、スイッチ（図示せず）のＯＮ／ＯＦＦによって点灯または消灯する。
【００９９】
火災報知器５３は、センサ設置用モジュール５６の開口閉鎖パネル２４に着脱可能に設置され、室内側に露出している。スプリンクラーヘッド５４は、センサ設置用モジュール５６の開口閉鎖パネル２４に着脱可能に設置され、室内側に露出している。アンビエント照明ユニット１０Ｃでは、予備照明器具５２と火災報知器５３およびスプリンクラーヘッド５４とのうちのいずれか１つがセンサ設置用モジュール５６の開口閉鎖パネル２４に設置されていてもよい。
【０１００】
アンビエント照明ユニット１０Ｃでは、火災報知器５３やスプリンクラーヘッド５４の他に、または、火災報知器５３やスプリンクラーヘッド５４とともに、光感知センサ（センサモジュール）や人感センサ（センサモジュール）、スピーカー（センサモジュール）、カメラ（センサモジュール）のうちの少なくとも１つがセンサ設置用モジュール５６に設置されていてもよい。光感知センサは、室内の照度や輝度等を検出し、第１および第２照明器具１４，１５の第１および第２光源３２，３６の調光に利用される。人感センサは、室内における居住者の有無を検出し、第１および第２照明器具１４，１５の第１および第２光源３２，３６のＯＮ／ＯＦＦに利用される。スピーカーは、室内に音を発する。カメラは、室内の様子を撮影する。
【０１０１】
図１２に示す照明システムＳ３は、短手方向へ一列に並ぶとともに、天井スラブ１２の長手方向へ所定寸法離間して並ぶ複数のアンビエント照明ユニット１０Ｃから形成されている。なお、それらアンビエント照明ユニット１０Ｃは、ハンガー４２および吊りボルト４３（吊り下げ手段）を利用して天井スラブ１２から吊り下げられ、室１１（天井スラブ１２）の天井面を形成している。それらアンビエント照明ユニット１０Ｃは、天井スラブ１２の長手方向へ延びる両側縁部の間に位置して短手方向へ延びている。アンビエント照明ユニット１０Ｃは、床面４４からの高さ（吊り下げ高さ）が同一であり、天井スラブ１２に平行して設置されているとともに、長手方向前方から後方に向かって隣り合うユニット１０Ｃどうしが互いに平行して並んでいる。
【０１０２】
スイッチをＯＮにして第１および第２照明器具１４，１５の第１光源３２および第２光源３６が点灯すると、それらアンビエント照明ユニット１０Ｃの第１光源３２から発せられた光が第１照明カバー３３の略下半分から下方（鉛直方向）へ照射されるとともに第１照明カバー３３の略上半分から長手方向前方（水平方向）へ照射され、それらアンビエント照明ユニット１０Ｃの第２光源３６から発せられた光が第２照明カバー３３の略下半分から下方（鉛直方向）へ照射されるとともに第２照明カバー３３の略上半分から長手方向後方（水平方向）へ照射される。第１および第２光源３２，３６から発せられた光は斜め方向へも照射される。スイッチをＯＮにしてそれら予備照明器具５２の光源が点灯すると、それら予備照明器具５２から発せられた光が取付ベース１３の下方へ照射される。
【０１０３】
照明システムＳ３では、それらアンビエント照明ユニット１０Ｃの第１および第２照明器具１４，１５の第１および第２光源３２，３６から発せられた光が室１１の中域空間や底域空間を照らし、第１および第２光源３２，３６から発せられた光が室１１の天井近傍の高域空間を照らすとともに、それら予備照明器具５２から発せられた光が取付ベース１３の直下を照らす。図１２に示す照明システムＳ３では、アンビエント照明ユニット１０Ｃの第１および第２照明器具１４，１５がアンビエント照明になり、それら予備照明器具５２がタスク照明になるから、第１および第２照明器具１４，１５と予備照明器具５２とからタスク・アンビエント照明が形成されている。
【０１０４】
照明システムＳ３（アンビエント照明ユニット１０Ｃ）は、照明システムＳ１（アンビエント照明ユニット１０Ａ）が有する効果に加え、以下の効果を有する。照明システムＳ３（アンビエント照明ユニット１０Ｃ）は、予備照明器具５２がタスク用照明として利用されることで容易にタスク・アンビエント照明を実現することができ、室１１の中域空間や低域空間における明るさを設計照度に保持することができるとともに、室内照明の省エネ化を図ることができる。照明システムＳ３（アンビエント照明ユニット１０Ｃ）は、火災報知器５３が室内に発生した火災を検知することで、火災の発生を外部に知らせることができ、スプリンクラーヘッド５４から放出される水によって室内に発生した火災を消火することができる。
【０１０５】
照明システムＳ３（アンビエント照明ユニット１０Ｃ）は、各種のセンサモジュールをセンサ設置用モジュール５６に設置することで、それらセンサモジュールのセンサ機能を利用して室内の要求仕様を満たすことができ、居住空間の有益性や利便性を向上させることができる。なお、センサ設置用モジュール５６に光感知センサが設置されている場合、光感知センサによって測定された照度や輝度等によって第１および第２照明器具１４，１５の第１および第２光源３２，３６や予備照明器具５２の光源を自動的に調光することができ、センサ設置用モジュール５６に人感センサが設置されている場合、人感センサによって人の存在を検出することで、第１および第２照明器具１４，１５の第１および第２光源３２，３６や予備照明器具５２の光源を自動的にＯＮ／ＯＦＦすることができる。また、センサ設置用モジュール５６にスピーカーが設置されている場合、スピーカーによって必要事項を室内の居住者に知らせることができ、センサ設置用モジュール５６にカメラが設置されている場合、室内の様子をカメラが捉えることで、室内の防犯を図ることができる。
【０１０６】
図１３は、空調モジュール４７を備えたアンビエント照明ユニット１０Ｂおよびセンサ設置用モジュール５６を備えたアンビエント照明ユニット１０Ｃが室１１の天井スラブ１２に設置された照明システムＳ４の一例を示す側面図である。図１３では、長手方向前方を矢印Ｘ１、長手方向後方を矢印Ｘ２で示し、下方を矢印Ｚで示す。
【０１０７】
図１３に示す照明システムＳ４は、複数のアンビエント照明ユニット１０Ｂ（第１アンビエント照明ユニット）と複数のアンビエント照明ユニット１０Ｃ（第２アンビエント照明ユニット）とから形成されている。照明システムＳ４では、アンビエント照明ユニット１０Ｂとアンビエント照明ユニット１０Ｃとが混在した状態で、照明ユニット１０Ｂおよび照明ニット１０Ｃが天井スラブ１２の長手方向へ所定寸法離間して並んでいる。照明システムＳ４では、アンビエント照明ユニット１０Ｂとアンビエント照明ユニット１０Ｃとが長手方向へ交互に並ぶ場合、または、照明ユニット１０Ｂと照明ユニット１０Ｃとが長手方向へランダムに並ぶ場合がある。
【０１０８】
それらアンビエント照明ユニット１０Ｂやアンビエント照明ユニット１０Ｃは、ハンガー４２および吊りボルト４３（吊り下げ手段）を利用して天井スラブ１２から吊り下げられ、室１１（天井スラブ１２）の天井面を形成している。照明ユニット１０Ｂや照明ユニット１０Ｃは、天井スラブ１２の長手方向へ延びる両側縁部の間に位置して短手方向へ延びている。照明ユニット１０Ｂや照明ユニット１０Ｃは、床面４４からの高さ（吊り下げ高さ）が同一であり、天井スラブ１２に平行して設置されているとともに、長手方向前方から後方に向かって隣り合うユニット１０Ｂ，１０Ｃどうしが互いに平行して並んでいる。
【０１０９】
照明システムＳ４では、図１のアンビエント照明ユニット１０Ａ、図７のアンビエント照明ユニット１０Ｂ、図１１のアンビエント照明ユニット１０Ｃから選択された少なくとも２つのアンビエント照明ユニット（第１および第２アンビエント照明ユニット）が混在した状態で、アンビエント照明ユニットが長手方向へ所定寸法離間して並んでいればよい。
【０１１０】
照明システムＳ４は、照明システムＳ１（アンビエント照明ユニット１０Ａ）の効果と照明システムＳ２（アンビエント照明ユニット１０Ｂ）の効果と照明システムＳ３（アンビエント照明ユニット１０Ｃ）の効果とを有するとともに、以下の効果を有する。照明システムＳ４は、空調空気の給気が必要であって予備照明器具５２やセンサモジュールが不要な居住空間の天井スラブ１２に第１および第２吹出口１７，１８（第１および第２空気流路４８，４９）と空調モジュール４７とを備えたアンビエント照明ユニット１０Ｂ（第１アンビエント照明ユニット）を設置することで、その居住空間に空調空気を給気することができ、予備照明器具５２やセンサモジュールが必要であって空調空気の給気が不要な居住空間の天井スラブ１２に予備照明器具５２や各種のセンサモジュールを備えたアンビエント照明ユニット１０Ｃ（第２アンビエント照明ユニット）を設置することで、室１１の各居住空間の目的や各居住空間の用途、各居住空間の有益性の向上、各居住空間の利便性の向上等に対応することができる。
【０１１１】
それら照明システムＳ１〜Ｓ４（アンビエント照明ユニット１０Ａ〜１０Ｃ）では、吹出口モジュール１６や空調モジュール４７、センサ設置用モジュール５６（第１および第２吹出口１７，１８、第１および第２空気流路４８，４９、予備照明器具５２、各種のセンサモジュール（火災報知器５３、スプリンクラーヘッド５４、光感知センサ、人感センサ、スピーカー、カメラ））が取付ベース１３に着脱可能に設置されており、取付ベース１３においてそれらを他のそれらと交換可能である。
【０１１２】
それら照明システムＳ１〜Ｓ４（アンビエント照明ユニット１０Ａ〜１０Ｃ）は、吹出口モジュール１６や空調モジュール４７、センサ設置用モジュール５６（第１および第２吹出口１７，１８、第１および第２空気流路４８，４９、予備照明器具５２、各種のセンサモジュール）を取付ベース１３に交換可能に設置することで、室１１の各居住空間の目的や各居住空間の用途、各居住空間の有益性の向上、各居住空間の利便性の向上等に応じてそれらを随時入れ替えることができ、アンビエント照明を構築しつつ各居住空間の目的や各居住空間の用途、各居住空間の有益性の向上、各居住空間の利便性の向上等にすみやかに対処することができる。
【符号の説明】
【０１１３】
１０Ａ  アンビエント照明ユニット
１０Ｂ  アンビエント照明ユニット
１０Ｃ  アンビエント照明ユニット
１１    室
１２    天井スラブ（上部スラブ）
１３    取付ベース
１４    第１照明器具
１５    第２照明器具
１６    吹出口モジュール
１７    第１吹出口
１８    第２吹出口
１９    前壁
２０    後壁
２１    頂壁
２２    側壁
２３    側壁
２４    開口閉鎖パネル
２５    収容スペース
２６    下部開口
２７    接続ダクト
２８    前方延出頂壁
２９    後方延出頂壁
３０    前方延出側壁
３１    後方延出側壁
３２    第１光源
３３    第１照明カバー
３４    下端（第１照明器具）
３５    上端（第１照明器具）
３６    第２光源
３７    第２照明カバー
３８    下端（第２照明器具）
３９    上端（第２照明器具）
４０    外周面（第１照明カバー）
４１    外周面（第２照明カバー）
４２    ハンガー（吊り下げ手段）
４３    吊りボルト（吊り下げ手段）
４４    床面
４５    事務机
４６    デスクライト
４７    空調モジュール
４８    第１空気流路
４９    第２空気流路
５０    第１フラップ
５１    第２フラップ
５２    予備照明器具
５３    火災報知器
５４    スプリンクラーヘッド
５５    照明カバー
５６    センサ設置用モジュール
Ｓ１    照明システム
Ｓ２    照明システム
Ｓ３    照明システム
Ｓ４    照明システム
【図１】
2020035759.tif 000003
【図２】
2020035759.tif 000004
【図３】
2020035759.tif 000005
【図４】
2020035759.tif 000006
【図５】
2020035759.tif 000007
【図６】
2020035759.tif 000008
【図７】
2020035759.tif 000009
【図８】
2020035759.tif 000010
【図９】
2020035759.tif 000011
【図１０】
2020035759.tif 000012
【図１１】
2020035759.tif 000013
【図１２】
2020035759.tif 000014
【図１３】
2020035759.tif 000015